【手続補正書】
【提出日】平成25年9月12日(2013.9.12)
【手続補正１】
【補正対象書類名】特許請求の範囲
【補正対象項目名】全文
【補正方法】変更
【補正の内容】
【特許請求の範囲】
【請求項１】
遊技球が入球可能な始動口と、
識別情報を表示可能な識別情報表示部と、
演出を表示可能な演出表示部と、
遊技の進行を司る主制御部と、
演出の表示制御を司る副制御部と
を備え、
主制御部は、
始動口への入球を契機として乱数を取得する乱数取得手段と、
乱数取得手段が取得した乱数に基づき当否判定を実行する当否判定手段と、
当否判定手段による当否判定の結果に基づき識別情報の停止識別情報を決定する識別情報表示内容決定手段と、
識別情報表示内容決定手段による決定に基づき、識別情報表示部にて識別情報を変動表示した後、停止識別情報を停止表示するよう制御する識別情報表示制御手段と、
当否判定手段による当否判定の結果が当選である場合、識別情報表示部にて停止識別情報が表示されたことを契機として、遊技者にとって有利な特別遊技を実行する特別遊技制御手段と、
乱数取得手段により乱数が取得された場合、当否判定手段による当否判定が許可されるまで、当該取得された乱数を保留として一時記憶する乱数一時記憶手段と、
副制御部側で実行される演出表示に際して必要な遊技情報を副制御部側へ送信する手段であって、識別情報の変動表示開始時においては、識別情報に関する情報を副制御部側へ送信する一方、当否判定手段による当否判定に先立ち、保留に関する情報を副制御部側へ事前に送信し得る遊技情報送信手段と
を備えており、
副制御部は、
主制御部から送信された遊技情報を受信する遊技情報受信手段と、
遊技情報受信手段により前記識別情報に関する情報が受信された場合、識別情報の変動表示と連動した演出表示内容を演出表示部にて表示する演出表示制御手段と
を備え、
前記演出表示内容を表示するに際しては、識別情報が変動表示されている期間内において、演出用図柄を演出表示部にて変動表示開始した後から確定的に停止表示するまでを本変動とし、本変動内において演出用図柄を変動表示した後で暫定的に停止表示した後に再度変動表示を行う擬似変動を一又は複数回実行可能に構成されており、
演出用図柄を停止表示する際の停止表示態様候補として複数種類有し、当該複数種類の停止表示態様候補のいずれかを演出用図柄の停止表示態様として表示可能に構成されており、且つ、擬似変動が実行される際の暫定的な停止表示においては、擬似変動が実行されない際の確定的な停止表示時には表示され得ない種類の停止表示態様を表示可能に構成されており、
遊技情報受信手段により前記保留に関する情報が受信された場合、当該受信された保留に関する情報に基づき所定条件を充足した際には、当該所定条件を充足した保留に到るまでの保留に係る識別情報の変動表示時においては、擬似変動が実行されない
ことを特徴とするぱちんこ遊技機。
【手続補正２】
【補正対象書類名】明細書
【補正対象項目名】０００１
【補正方法】変更
【補正の内容】
【０００１】
パチンコ遊技機に関する。
【手続補正３】
【補正対象書類名】明細書
【補正対象項目名】０００５
【補正方法】変更
【補正の内容】
【０００５】
本発明は、始動口への遊技球の入球に基づき抽選を実行し、この抽選結果を識別情報の変動結果として報知するタイプのパチンコ遊技機において、遊技者にとって分かり易い演出を提供することを目的とする。
【手続補正４】
【補正対象書類名】明細書
【補正対象項目名】０００６
【補正方法】変更
【補正の内容】
【０００６】
本態様に係るぱちんこ遊技機は、
遊技球が入球可能な始動口と、
識別情報を表示可能な識別情報表示部と、
演出を表示可能な演出表示部と、
遊技の進行を司る主制御部と、
演出の表示制御を司る副制御部と
を備え、
主制御部は、
始動口への入球を契機として乱数を取得する乱数取得手段と、
乱数取得手段が取得した乱数に基づき当否判定を実行する当否判定手段と、
当否判定手段による当否判定の結果に基づき識別情報の停止識別情報を決定する識別情報表示内容決定手段と、
識別情報表示内容決定手段による決定に基づき、識別情報表示部にて識別情報を変動表示した後、停止識別情報を停止表示するよう制御する識別情報表示制御手段と、
当否判定手段による当否判定の結果が当選である場合、識別情報表示部にて停止識別情報が表示されたことを契機として、遊技者にとって有利な特別遊技を実行する特別遊技制御手段と、
乱数取得手段により乱数が取得された場合、当否判定手段による当否判定が許可されるまで、当該取得された乱数を保留として一時記憶する乱数一時記憶手段と、
副制御部側で実行される演出表示に際して必要な遊技情報を副制御部側へ送信する手段であって、識別情報の変動表示開始時においては、識別情報に関する情報を副制御部側へ送信する一方、当否判定手段による当否判定に先立ち、保留に関する情報を副制御部側へ事前に送信し得る遊技情報送信手段と
を備えており、
副制御部は、
主制御部から送信された遊技情報を受信する遊技情報受信手段と、
遊技情報受信手段により前記識別情報に関する情報が受信された場合、識別情報の変動表示と連動した演出表示内容を演出表示部にて表示する演出表示制御手段と
を備え、
前記演出表示内容を表示するに際しては、識別情報が変動表示されている期間内において、演出用図柄を演出表示部にて変動表示開始した後から確定的に停止表示するまでを本変動とし、本変動内において演出用図柄を変動表示した後で暫定的に停止表示した後に再度変動表示を行う擬似変動を一又は複数回実行可能に構成されており、
演出用図柄を停止表示する際の停止表示態様候補として複数種類有し、当該複数種類の停止表示態様候補のいずれかを演出用図柄の停止表示態様として表示可能に構成されており、且つ、擬似変動が実行される際の暫定的な停止表示においては、擬似変動が実行されない際の確定的な停止表示時には表示され得ない種類の停止表示態様を表示可能に構成されており、
遊技情報受信手段により前記保留に関する情報が受信された場合、当該受信された保留に関する情報に基づき所定条件を充足した際には、当該所定条件を充足した保留に到るまでの保留に係る識別情報の変動表示時においては、擬似変動が実行されない
ことを特徴とするぱちんこ遊技機である。
＜付記＞
尚、本態様とは異なる別態様について以下に列記しておくが、これらには何ら限定されることなく実施することが可能である。
本別態様（１）は、
遊技球が入球可能な始動口（特図始動口２１１０）と、
始動口（特図始動口２１１０）への遊技球の入球に基づき当否抽選を実行する当否抽選手段（当否抽選手段１１３５）と、
識別情報の変動表示と停止表示が可能な識別情報表示手段（演出表示装置２１４０）と、
当否抽選手段（当否抽選手段１１３５）による抽選後、識別情報表示手段（演出表示装置２１４０）上にて識別情報を所定時間変動表示した後に当該抽選の結果を報知する停止表示を実行する識別情報表示制御手段（表示制御手段２１５２、画像表示制御手段２１４４）と、
当否抽選手段（当否抽選手段１１３５）による抽選結果が当選である場合、識別情報の停止表示が実行されて当該抽選の結果が報知された後、遊技者に対して特典を付与する特典付与制御手段（特別遊技制御手段１１７０）と
を有するパチンコ遊技機であって、
識別情報表示制御手段（表示制御手段２１５２、画像表示制御手段２１４４）は、識別情報表示手段（演出表示装置２１４０）にて識別情報を所定時間変動表示した後に当該抽選の結果を報知する停止表示を実行するに際し、それぞれが複数の識別情報から構成されている複数の識別情報列についてそれぞれを変動させて識別情報の変動を開始する第一ステップと、前記第一ステップ後、すべての識別情報列について、識別情報表示手段（演出表示装置２１４０）上にて再変動し得る状態で略同一位置で停留させる仮停止表示を実行する第二ステップと、前記第二ステップ後、識別情報表示手段（演出表示装置２１４０）上にて確定的に停止識別情報を表示する第三ステップとを実行すると共に、
識別情報表示制御手段（表示制御手段２１５２、画像表示制御手段２１４４）は、前記第二ステップにおけるすべての識別情報列の仮停止表示の結果として、識別情報表示手段（演出表示装置２１４０）上に少なくとも一組の同一識別情報を含む所定態様を表示するか否かを決定し、前記所定態様を表示することを決定した場合、前記所定態様の内当該少なくとも一組の同一識別情報を仮停止させた状態で、複数の識別情報から構成される識別情報列を新たに追加した上で当該識別情報列を変動表示させる第四ステップと、当否抽選手段（当否抽選手段１１３５）による抽選結果が当選である場合には、前記第四ステップで新たに追加した識別情報列を所定の識別情報で仮停止させる一方、当否抽選手段（当否抽選手段１１３５）による抽選結果が当選でない場合には、前記第四ステップで追加した識別情報列を前記所定の識別情報とは異なる識別情報で仮停止させる第五ステップと、を実行し、前記第五ステップ後に前記第三ステップを実行する
ことを特徴とするパチンコ遊技機である。
本別態様（２）は、
識別情報表示制御手段（表示制御手段２１５２、画像表示制御手段２１４４）は、前記第五ステップを実行した場合、前記第五ステップ実行後に前記第二ステップに戻し、且つ、前記第四ステップで新たに追加した識別情報列に係る、前記第五ステップで仮停止した識別情報を、前記第二ステップで仮停止した識別情報と差替えて表示する、前記別態様（１）のパチンコ遊技機である。
【手続補正５】
【補正対象書類名】明細書
【補正対象項目名】０００７
【補正方法】削除
【補正の内容】
【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】変更
【補正の内容】
【０００９】
本態様に係るぱちんこ遊技機によれば、始動口への遊技球の入球に基づき抽選を実行し、この抽選結果を識別情報の変動結果として報知するタイプのパチンコ遊技機において、遊技者にとって分かり易い演出を提供することができるという効果を奏する。
【手続補正８】
【補正対象書類名】明細書
【補正対象項目名】００１０
【補正方法】削除
【補正の内容】
【手続補正９】
【補正対象書類名】明細書
【補正対象項目名】００１２
【補正方法】変更
【補正の内容】
【００１２】
ここで、本明細書における各用語の意義について説明する。まず、「入球」とは、賞球が払い出される入賞のみならず、賞球払い出しの無い「スルーチャッカー」への通過も含む。「識別情報」とは、五感（視覚、聴覚、触覚等）を通じて情報の種類を識別可能であればどのような形態でもよく、例えば、視覚的なものとしては、数字、文字、図柄等の形状のあるものを通じて情報出力するもの（例えば、主制御装置側で管理する特別図柄や普通図柄、副制御装置側で管理する演出遊技に関連する装飾図柄）を挙げることができる。「特典」とは、例えば、通常は閉状態である可変入賞口が開状態となる特別遊技や、通常は閉状態である可変部材（始動口入口付近や権利獲得入球口に設けられた可変部材）が開状態となる特別遊技移行契機付与遊技等を挙げることができる。「仮停止」とは、一見して停止しているように見える（僅かながら上下又は左右に移動しつつも略同位置に停滞する）が、再び動き出し得る停止態様を指す（例えば確定停止前の揺れ変動をも含む）。以下、本発明の最良形態を説明する。尚、以下の最良形態は、従来の第１種パチンコ遊技機に関するものであるが、これに限定されず、他の遊技機｛例えば、従来の第２種や第３種、一般電役、普通機、複合機（例えば、従来の第１種の機能を二つ有する遊技機や、従来の第１種の機能と従来の第２種の機能を一つ有する遊技機）といったパチンコ遊技機｝に応用された場合も本発明の範囲内である。尚、あくまで最良の形態であり、各手段が存在する場所や機能等、各種処理に関しての各ステップの順序、フラグのオン・オフのタイミング、各ステップの処理を担う手段名等に関し、以下の態様に限定されるものではない。